(57)【特許請求の範囲】
【請求項１】
遊技状態に応じた音声又は音響を発生する出音装置を筐体内部に備えた複数の遊技機と、
前記複数の遊技機のうち所定台数ごとに設けられ、該所定台数の遊技機のうち少なくとも一台から前記音声又は音響に関する情報が入力されると、該音声又は音響のうち低音のみを出力する低音出力装置と、を備え、
一つの前記低音出力装置には、前記複数の遊技機の各出音装置における音声出力制御手段からの信号がそれぞれ入力されることを特徴とする遊技機用音響システム。
【請求項２】
請求項１記載の遊技機用音響システムにおいて、前記低音出力装置は、前記遊技機の上方又は下方に設置されることを特徴とする遊技機用音響システム。
【請求項３】
請求項１記載の遊技機用音響システムにおいて、前記低音出力装置は、前記所定台数の遊技機のうち中央に位置する遊技機の上方又は下方に設置されたことを特徴とする遊技機用音響システム。
【請求項４】
請求項１又は２記載の遊技機用音響システムにおいて、前記低音出力装置は、前記音声又は音響を発生するための電気信号から低周波数成分のみを抽出して増幅する低音出力アンプと、その増幅された電気信号を出力する低音出力用スピーカとを含んでいることを特徴とする遊技機用音響システム。
【発明の詳細な説明】
【０００１】
【発明の属する技術分野】
本発明は、パチンコ機やパチスロ機等の遊技機用の音響システムに関する。
【０００２】
【従来の技術】
パチンコ機やパチスロ機等の遊技機では、遊技の興趣を盛り上げるために、遊技状態に応じた各種の演出音や効果音が内蔵のスピーカより出力されている。近年では、ステレオスピーカが多く採用され、音声による演出効果が高まってきている。また、遊技機に設けられた映像装置の表示内容が多様化してきており、音声出力も、それらの映像に合わせた臨場感のあるものが採用されている。例えば、低音を強調した音声出力を行うことによって、演出が迫力のあるものとなり、臨場感が高められる。この低音を強調した音声出力には、低音出力用のウーファスピーカが採用される。
【０００３】
【発明が解決しようとする課題】
しかしながら、遊技機が設置される遊技店の店内には、案内放送やＢＧＭが流れており、また他の遊技機の演出音も聞こえてくるため、迫力のある低音を遊技者に効果的に聞かせることは難しい。このような環境下で迫力のある低音を遊技者に効果的に聞かせるためには、大口径のウーファスピーカを採用する必要がある。しかし、遊技機の筐体内部には、メダル等の遊技媒体を貯留するホッパやリール駆動装置など、遊技に必要な種々の機械的もしくは電気的装置が収容されており、収納スペースが限られているため、その筐体内に大口径のウーファスピーカを取り付けることは非常に困難である。したがって、実際には、低音による演出効果が得られにくい現状である。
【０００４】
本発明の目的は、迫力のある低音を遊技者に効果的に聞かせることができる遊技機用音響システムを提供することである。
【０００５】
【課題を解決するための手段】
本発明の遊技機用音響システムは、遊技状態に応じた音声又は音響を発生する出音装置を筐体内部に備えた複数の遊技機と、前記複数の遊技機のうち所定台数ごとに設けられ、該所定台数の遊技機のうち少なくとも一台から前記音声又は音響に関する情報が入力されると、該音声又は音響のうち低音のみを出力する低音出力装置と、を備え、一つの前記低音出力装置には、前記複数の遊技機の各出音装置における音声出力制御手段からの信号がそれぞれ入力されることを特徴とする。
【０００６】
低音出力装置は、例えば、遊技機の上方又は下方に設置される。遊技機の上方としては、例えば、複数の遊技機で構成される所謂「島」の上部やこれらの遊技機が置かれている遊技店の天井である。また、遊技機の下方としては、例えば、島の下部やこれらの遊技機が置かれている遊技店の床である。
【０００７】
本発明の別の態様は、前記遊技機用音響システムにおいて、前記低音出力装置が、前記遊技機の上方又は下方に設置されること、前記低音出力装置が、前記所定台数の遊技機のうち中央に位置する遊技機の上方又は下方に設置されたことを特徴とする。
【０００８】
実施態様では、低音出力装置は、音声又は音響を発生するための電気信号から低周波数成分のみを抽出して増幅する低音出力アンプと、その増幅された音声信号を出力する低音出力用スピーカとを含んで構成される。
【０００９】
【作用及び効果】
本発明の遊技機用音響システムによれば、遊技状態に応じた音声又は音響を発生する出音装置を収納した遊技機の筐体の外部に、前記音声又は音響のうち低音のみを出力する低音出力装置を設けるようにしたので、遊技機の筐体サイズにとらわれることなく迫力のある低音を遊技者に効果的に聞かせることが可能になる。
【００１０】
低音出力装置の音声出力手段として、例えば、ウーファスピーカを用いた場合、遊技機の筐体サイズに関係なく大口径のウーファスピーカを採用することができるので、より低音が効果的に出力できる。また、低音は指向性が低いため、周囲の遊技者にも迫力のある低音を聞かせることができ、例えば、遊技者の期待感を高めるような熱い演出が表示されている状況において低音出力を行うようにすれば、周りの遊技者の射幸心を刺激するといった効果も生じる。ここで、遊技者の期待感を高めるような熱い演出とは、例えば、ボーナスに発展する可能性の高い演出などである。
【００１１】
本発明の別の態様として、複数台の遊技機の所定台数ごとに、音声又は音響のうち低音のみを出力する低音出力装置を設けた場合では、低音は指向性が低いため、１台の低音出力装置で複数の遊技者に迫力のある低音を効果的に聞かせることができる。また、複数台で１台の低音出力装置を共用しているので、より大きな口径のウーファスピーカを採用することができ、また、台ごとに低音出力装置を設置するよりコストが少なくて済む。また、遊技者の期待感を高めるような熱い演出が表示されている状況において低音出力を行うようにすれば、低音出力装置を共用している周りの遊技者の射幸心を刺激するといった効果も生じる。
【００１２】
【発明の実施の形態】
図１は、本発明の遊技機用音響システムの一実施例を示し、ここでは、複数台の遊技機を配置した島１に本発明を適用した場合について示している。島１は、複数の遊技機（ここではパチンコ機）５を左右の両面２，３に横一列に配置している。この図１に示す島１では、１２台（左面２に６台，右面に６台）の遊技機５が横一列に配置されている。
【００１３】
各遊技機５の筐体の上部には、出音装置としての２つのスピーカ（左スピーカ６，右スピーカ７）が収容され、これら２つのスピーカ６，７は、ステレオ効果を高めるために左右に間隔を開けて配置されている。
【００１４】
これら２つのスピーカ６，７からは、各遊技機５における遊技状態に応じた音声又は音響が発生される。遊技状態に応じた音声又は音響とは、例えば、効果音，演出音，ＢＧＭなどである。
【００１５】
また、島１の上面４には、低音出力用スピーカであるウーファスピーカ９と低音出力アンプ１０（図２）を含み構成される低音出力装置８が所定位置に取り付けられ、本実施例では、遊技機３台ごとに１台の低音出力装置８を設けている。ウーファスピーカ９からは、スピーカ６，７から出力されている音声等のうち低音のみが強調して出力される。
【００１６】
図１に示す例では、島１の左面２に設置されている６台の遊技機５ａ〜５ｆのうち、奥側に配置されている遊技機３台（５ａ〜５ｃ）ごとに１台の低音出力装置８ａが、手前に配置されている遊技機３台（５ｄ〜５ｆ）ごとに１台の低音出力装置８ｂが、それぞれ島１の上面４に設けられている。
【００１７】
奥側の低音出力装置８ａは、島１の上面４において、３台の遊技機５ａ〜５ｃのうち中央の遊技機（奥から２台目の遊技機５ｂ）の上方位置に取り付けられ、手前の低音出力装置８ｂは、島１の上面４において、３台の遊技機５ｄ〜５ｆのうち中央の遊技機（手前から２台目の遊技機５ｅ）の上方位置に取り付けられている。
【００１８】
従って、この図１に示す例では、島１の上面４において、左側に２台の低音出力装置８ａ，８ｂが、右側に２台の低音出力装置８ｃ，８ｄがそれぞれ設けられている。
【００１９】
次に、遊技機５と低音出力装置８の具体的構成について図２を参照して説明する。
【００２０】
図２に示すように、遊技機５の筐体内部には、遊技機５の動作制御を行う制御手段としてのメイン制御回路２０が設けられる。メイン制御回路２０は、演算処理装置としてのＣＰＵ、記憶手段としてのＲＯＭ，ＲＡＭ等を含み構成され、各種アクチュエータの動作制御を行う。
【００２１】
メイン制御回路２０には、音声出力制御回路２１が接続され、この音声出力制御回路２１によって、遊技状態に応じた効果音や演出音等の音声又は音響の出力制御が行われる。音声出力制御回路２１は、図２に示すように、音源ＬＳＩ２２及び音声データＲＯＭ２４を備える。
【００２２】
音声データＲＯＭ２４は、音声又は音響を発生するための電気信号である音声信号の生成に必要な音声データを格納する。音源ＬＳＩ２２は、メイン制御回路２０から送られてきた音声出力制御命令（以下「音声コマンド」という。）に基づいて、必要な音声データを音声データＲＯＭ２４から取り出し、その音声データに基づき音声信号を生成する。
【００２３】
音源ＬＳＩ２２で生成された音声信号は、同時に２方向に出力され、一方は遊技機５の筐体内部に設けられたアンプ２３に、他方は遊技機５の筐体外部に設置された低音出力装置８内の低音出力アンプ１０に向けて出力される。
【００２４】
アンプ２３は、音源ＬＳＩ２２から送られてきた音声信号を増幅してスピーカ６，７より音声を発生させる。
【００２５】
低音出力装置８は、ウーファスピーカ９と低音出力アンプ１０を含み構成され、遊技機５の筐体外部、具体的には、図１に示すように、島１の上面４に設置される。この低音出力装置８は、上述の通り、遊技機３台ごとに１台設けられる。従って、低音出力アンプ１０には、３台の遊技機５の音源ＬＳＩ２２から出された音声信号が入力される。
【００２６】
低音出力アンプ１０は、入力された音声信号から高域の周波数成分（「高周波数成分」という。）をカットし低域の周波数成分（「低周波数成分」という。）のみを抽出する「ローパスフィルタ」を備える。そして、このローパスフィルタによって抽出された低周波数成分からなる音声信号（以下「低音信号」という。）を増幅し、ウーファスピーカ９より低音のみを発生させる。例えば、前記ローパスフィルタは、入力された音声信号の１００Ｈｚ以上の周波数成分をカットし、１００Ｈｚ未満の周波数成分を抽出して低音信号を生成する。
【００２７】
ウーファスピーカ９は、低音すなわち低周波数の音波を出力するのに適した大口径のスピーカで、低周波数の信号を入力すると、振動板が低周波数で振動して低音を出すようになっている。
【００２８】
なお、低音出力装置８の設置位置は、島１の上面に限らない。低音出力装置８を他の位置に設置した場合の例を以下の図３〜図５に示す。
【００２９】
図３は、低音出力装置８を島１の下部に設置した場合の一例を示す。
【００３０】
この図３の例でも、図１に示した場合と同様に、遊技機３台ごとに１台の低音出力装置８が設けられ、島１の下部において、これら３台の遊技機のうち中央に位置する遊技機の下方位置に取り付けられている。
【００３１】
具体的には、この図３において、奥側の遊技機３台（５ａ〜５ｃ）ごとに１台設けられた低音出力装置８ａは、島１の下部において、これら３台の遊技機のうち中央に位置する遊技機５ｂの下方位置に取り付けられている。手前の遊技機３台（５ｄ〜５ｆ）ごとに１台設けられた低音出力装置８ｂは、島１の下部において、これら３台の遊技機のうち中央に位置する遊技機５ｅの下方位置に取り付けられている。
【００３２】
図４は、低音出力装置８を遊技ホールの天井に埋め込んだ場合の一例を示す。
【００３３】
図１に示した場合と同様に、遊技機３台ごとに1台の低音出力装置８が設けられ、この図４に示すように、これら３台の遊技機のうち中央に位置する遊技機の上方位置の天井に埋め込まれている。
【００３４】
具体的には、この図４において、奥側の遊技機３台につき１台設けられた低音出力装置８ａ（８ａ’）は、島１（１’）上方の天井において、これら３台の遊技機のうち中央に位置する遊技機５ｂ（５ｂ’）の上方位置に埋め込まれている。また、手前の遊技機３台ごとに１台設けられた低音出力装置８ｂ（８ｂ’）は、島１（１’）上方の天井において、これら３台の遊技機のうち中央に位置する遊技機５ｅ（５ｅ’）の上方位置に埋め込まれている。
【００３５】
図５は、低音出力装置８を遊技ホールの床に埋め込んだ場合の一例を示す。
【００３６】
図１に示した場合と同様に、遊技機３台ごとに1台の低音出力装置８が設けられ、この図５に示すように、これら３台の遊技機のうち中央に位置する遊技機の下方位置の床に埋め込まれている。
【００３７】
具体的には、この図５において、奥側の遊技機３台ごとに１台設けられた低音出力装置８ａ（８ａ’）は、これら３台の遊技機のうち中央に位置する遊技機５ｂ（５ｂ’）の下方位置の床に埋め込まれている。また、手前の遊技機３台ごとに１台設けられた低音出力装置８ｂ（８ｂ’）は、これら３台の遊技機のうち中央に位置する遊技機５ｅ（５ｅ’）の下方位置の床に埋め込まれている。
【００３８】
なお、各遊技機５の筐体上部に取り付ける２つのスピーカ６，７として、高音出力用のツイータスピーカを採用するようにしてもよい。この場合、音声出力制御回路２１に「ハイパスフィルタ」を設け、低周波数成分をカットして高周波数成分のみを抽出してスピーカ６，７から高音のみを発生させる。
【００３９】
このように、各遊技機５の筐体内にツイータスピーカを搭載し、高音のみを発生させるようにすれば、高音は指向性が高いので、その音を各台で遊技している遊技者に確実に届けることができ、各遊技機の遊技状態の変化などを明確に伝えることができる。
【００４０】
これに対し、複数台（実施例では３台）で共用するウーファスピーカ９からは指向性が低い低音が出力され、複数台で遊技している遊技者の各々に迫力のある低音を同時に聞かせることができる。
【００４１】
また、上記の実施例では、遊技機３台ごとに１台の低音出力装置を設けるようにしているが、これに限らない。例えば、遊技機１台につき１台の低音出力装置を設けるようにしてもよい。
【図面の簡単な説明】
【図１】本発明の一実施例である島の外観斜視図。
【図２】遊技機と低音出力装置の構成を示すブロック図。
【図３】本発明の別実施例である島の外観斜視図。
【図４】低音出力装置を天井に設置した場合の遊技ホールの外観斜視図。
【図５】低音出力装置を床に設置した場合の遊技ホールの外観斜視図。
【符号の説明】
１…島、５…遊技機、６，７…スピーカ、８…低音出力装置、９…ウーファスピーカ、１０…低音出力アンプ、２０…メイン制御回路、２１…音声出力制御回路、２２…音源ＬＳＩ、２３…アンプ、２４…音声データＲＯＭ２４。
【図１】
0004167438.tif 000002
【図２】
0004167438.tif 000003
【図３】
0004167438.tif 000004
【図４】
0004167438.tif 000005
【図５】
0004167438.tif 000006